(57)【要約】【課題】使用前及び使用後はコンパクトに折り畳むことができ、持ち運び性及び収納性に優れた擬餌針保持具を提供する。【解決手段】擬餌針保持具１０は、可撓性を有するベルト部材１と、ベルト部材１の表面にベルト部材１の長手方向Lに沿って所定距離を隔てて係止された複数の磁石２と、を備えている。ベルト部材１はゴム材で形成されているが、可撓性を有するものであれば、その他の合成樹脂材料や天然素材で形成することもできる。磁石１はフェライト磁石であるが、アルニコ磁石、サマリウムコバルト磁石、ネオジウム磁石などを使用することもできる。複数の磁石２は平面視形状が長方形の平板状をなしており、それぞれ接着剤によってベルト部材１の表面１ａに係止されている。【選択図】図１
2019213498.tif 000002
【特許請求の範囲】
【請求項１】
可撓性を有するベルト部材と、前記ベルト部材の少なくとも一方の面に所定距離を隔てて係止された複数の磁石と、を備えた擬餌針保持具。
【請求項２】
前記ベルト部材の長手方向に隣り合う前記磁石の表面の磁極が互いに異なる請求項１記載の擬餌針保持具。
【請求項３】
前記磁石が、前記ベルト部材の少なくとも一部に設けられた磁石吸着領域に着脱可能である請求項１または２記載の擬餌針保持具。
【請求項４】
前記磁石が、フェライト磁石、アルニコ磁石、サマリウムコバルト磁石、ネオジウム磁石の何れか１以上である請求項１〜３の何れかの項に記載の擬餌針保持具。
【発明の詳細な説明】
【技術分野】
【０００１】
本発明は、釣舟に乗ってイカ釣りをする際に使用されるイカ角、餌木、スッテなどの擬餌針を船縁上において一定姿勢に保持するための擬餌針保持具に関する。
【背景技術】
【０００２】
釣舟に乗ってイカ釣りをする場合、テグスと擬餌針との縺れを防止するために船縁に取り付けて使用される擬餌針保持具については、従来、様々な物が提案、販売されているが、本発明に関連するものとして、例えば、特許文献１に記載された「マグネット利用マット」がある。
【０００３】
この「マグネット利用マット」は、複数のマットを両面折り畳み可能なヒンジで連結一体化し、夫々のマット面の一部に磁石を張り合わせ、イカヅノの針部を吸着保持可能な構成としたものである。
【先行技術文献】
【特許文献】
【０００４】
【特許文献１】特開２０１１−２１７７１１号公報
【発明の概要】
【発明が解決しようとする課題】
【０００５】
前記「マグネット利用マット」は、使用後、ヒンジ部を折り曲げて折り畳むことにより、コンパクト化することができるのであるが、マットの部分のサイズや形状は変化しないので、コンパクト化にも限界がある。また、前記「マグネット利用マット」は、これを構成する部品点数が多いので、製造に手間を要し、コスト低減の妨げにもなる。
【０００６】
そこで、本発明が解決しようとする課題は、使用前及び使用後はコンパクトに折り畳むことができ、持ち運び性及び収納性に優れた擬餌針保持具を提供することにある。
【課題を解決するための手段】
【０００７】
本発明に係る擬餌針保持具は、可撓性を有するベルト部材と、前記ベルト部材の少なくとも一方の面に前記ベルト部材の長さ方向に沿って所定距離を隔てて係止された複数の磁石と、を備えたことを特徴とする。
【０００８】
前記擬餌針保持具においては、前記ベルト部材の長手方向に隣り合う前記磁石の表面の磁極が互いに異なるように配列することができる。
【０００９】
前記擬餌針保持具においては、前記磁石が、前記ベルト部材の少なくとも一部に設けられた磁石吸着領域に着脱可能とすることもできる。
【００１０】
前記擬餌針保持具においては、前記磁石が、フェライト磁石、アルニコ磁石、サマリウムコバルト磁石、ネオジウム磁石の何れか１以上であることが望ましい。
【発明の効果】
【００１１】
本発明により、使用前及び使用後はコンパクトに折り畳むことができ、持ち運び性及び収納性に優れた擬餌針保持具を提供することができる。
【図面の簡単な説明】
【００１２】
【図１】本発明の実施形態である擬餌針保持具を示す一部省略斜視図である。
【図２】図１に示す擬餌針保持具を船縁に取り付けた状態を示す一部省略斜視図である。
【図３】図１に示す擬餌針保持具の使用状態を示す一部省略斜視図である。
【図４】図１に示す擬餌針保持具を折り畳んだ状態を示す図である。
【図５】その他の実施形態である擬餌針保持具を示す一部省略斜視図である。
【発明を実施するための形態】
【００１３】
以下、図１〜図５に基づいて、本発明の実施形態である擬餌針保持具１０，３０について説明する。
【００１４】
初めに、図１〜図４に基づいて擬餌針保持具１０について説明する。図１に示すように、擬餌針保持具１０は、可撓性を有するベルト部材１と、ベルト部材１の表面にベルト部材１の長手方向Lに沿って所定距離を隔てて係止された複数の磁石２と、を備えている。本実施形態の擬餌針保持具１０においては、ベルト部材１の表面に５個の磁石２を配置しているが、ベルト部材１の長さ・幅・厚さ、磁石２の形状・サイズ、並びに、磁石２の配置個数・配置間隔などは限定しないので、任意に設定することができる。
【００１５】
ベルト部材１はゴム材で形成されているが、これに限定しないので、可撓性を有するものであれば、その他の合成樹脂材料や天然素材で形成することもできる。磁石２はフェライト磁石であるが、これに限定しないので、アルニコ磁石、サマリウムコバルト磁石、ネオジウム磁石などを使用することもできる。
【００１６】
複数の磁石２は平面視形状が長方形の平板状をなしており、それぞれ接着剤によってベルト部材１の表面１ａに係止されている。磁石２の形状やサイズは限定しないので、使用条件に適したサイズ、形状を有する磁石を使用することができる。ベルト部材１に対する磁石２の係止手段は限定しないので、接着剤のほかに両面粘着シートや面ファスナなどを使用することもできる。
【００１７】
擬餌針保持具１０の使い方は限定しないが、例えば、図２に示すように、釣舟（図示せず）の船縁２０の上面２０ａの長手方向に沿って擬餌針保持具１０を載置する。このとき擬餌針保持具１０の長手方向Ｌ（図１参照）が船縁２０の長手方向に沿うように載置することが望ましい。
【００１８】
次に、擬餌針保持具１０のベルト部材１の一方の端部１ｂ付近と、船縁２０の一部と、をクランプ器具２１で挟持した後、ベルト部材１が直線状態を保つように支えながら、他方の端部１ｃ付近と船縁２０の一部とをクランプ器具２１で挟持すると、擬餌針保持具１０が船縁２０に固定される。
【００１９】
この後、図３に示すように、イカ角などの擬餌針５０の針部５１を磁石２の表面２ａに載せれば、針部５１が磁石２の表面２ａに吸着されるので、複数の擬餌針５０はそれぞれの磁石２によって安定的に保持される。
【００２０】
図１に示すように、擬餌針保持具１０においては、ベルト部材１の長手方向Ｌに隣り合う磁石２の表面２ａの磁極が互いに異なるように配列している。従って、使用後の擬餌針保持具１０をクランプ器具２１を解除して船縁２０から取り外し、図４に示すように、ベルト部材１がＳカーブ（ヘアピンカーブ）を描くように折り曲げると、ベルト部材１の長手方向Ｌ（図１参照）に隣り合う磁石２同士が吸着して積層状態となるので、コンパクトに折り畳むことができ、持ち運び性及び収納性に優れている。
【００２１】
また、擬餌針保持具１０を構成する部品はベルト部材１と複数の磁石２であり、部品点数が少ないので、従来の擬餌針保持具よりも軽量で、小さく折り畳むことができるだけでなく、製造コストの低減も図ることができる。
【００２２】
なお、ベルト部材１の折り曲げ形態は図４に示す形態に限定しないので、ベルト部材１を長手方向に沿って折り曲げながら磁石２を積み重ねていくことにより渦巻状に折り畳むこともできる。また、ベルト部材１の長手方向Ｌ（図１参照）に隣り合う磁石２の表面２ａの極性を図１以外の配列に変更することにより、様々な折り畳み形態とすることができる。
【００２３】
次に、図５に基づいて、その他の実施形態である擬餌針保持具３０について説明する。図５に示すように、擬餌針保持具３０においては、ベルト部材３１が磁石吸着性を有する材料で形成され、複数の磁石３２は自らの磁力によりベルト部材３１の表面３１ａに吸着（係止）されている。
【００２４】
擬餌針保持具３０において、磁石３２はベルト部材３１の表面３１ａに着脱可能であるため、ベルト部材３１に対する磁石３２の取り付け個数、取り付け間隔並びに取り付け位置などを変更することができる。なお、磁石３２の磁力は図１に示す磁石２の磁力よりも強力であることが望ましい。
【００２５】
また、擬餌針保持具３０を使用していないときは、複数の磁石３２をベルト部材３１の一部に寄せ集めたり、複数の磁石３２をベルト部材３１から取り外したりすることもできるので、不使用時の更なるコンパクト化を図ることができる。
【００２６】
ベルト部材３１の材質は限定しないので、磁石吸着性を有する材料、例えば、鉄粉などの磁性粉を含有する合成樹脂材料、強磁性金属材料で形成されたフープ材または前記フープ材を合成樹脂材料で挟持した複合材料などを使用することができる。ベルト部材３１は表面３１ａ全体が磁石吸着領域であるが、磁石３２を係止すべき部分のみに磁石吸着領域を設けることもできる。
【００２７】
なお、図１〜図５に基づいて説明した擬餌針保持具１０，３０は本発明に係る擬餌針保持具を例示するものであり、本発明に係る擬餌針保持具は前述した擬餌針保持具１０，３０に限定されない。
【産業上の利用可能性】
【００２８】
本発明に係る擬餌針保持具はイカ釣り用の釣り具として広く利用することができる。
【符号の説明】
【００２９】
１，３１  ベルト部材
１ａ，２ａ，３１ａ  表面
２，３２  磁石
２０  船縁
２０ａ  上面
２１  クランプ器具
１０，３０  擬餌針保持具
５０  擬餌針
５１  針部
【図１】
2019213498.tif 000003
【図２】
2019213498.tif 000004
【図３】
2019213498.tif 000005
【図４】
2019213498.tif 000006
【図５】
2019213498.tif 000007